(57)【特許請求の範囲】
【請求項１】
充電可能なバッテリーを備えた移動機と、電話回線に接続され前記バッテリーを充電する為の充電回路を内蔵する固定機からなり、前記移動機を前記固定機に着脱する構成の通信装置であって、前記移動機と前記固定機はそれぞれ互いに接触可能な充電端子を有し、前記固定機の充電端子は導電性のコイルバネの一部であって前記コイルバネの弾性変形により前記移動機の差し込み時に回転して前記充電端子どうしの接合を可能とし、前記固定機の充電端子は当該充電端子の一部を露出させるスリットを形成した絶縁用保護カバーにより被覆され、前記絶縁用保護カバーは前記固定機の充電端子を被覆した状態を維持して前記固定機の充電端子と共に回転し、前記スリットに前記移動機の充電端子を差し込み可能としたことを特徴とする通信装置。
【発明の詳細な説明】
【０００１】
【発明の属する技術分野】
本発明は、電話回線を介して通信する通信装置に係り、特に移動機に内蔵されたバッテリーを充電するための充電端子周辺構造に関するものである。
【０００２】
【従来の技術】
一般にコードレス電話機は、親機（固定機）の置き台部に子機（移動機）を載置した時に子機に充電させ、子機を装着しない時に親機の充電端子と電話回線の絶縁を行わせて感電を防止する構成となっている。親機の充電端子は通常置き台に表出するように配置固定されており、その充電端子の表出した部分を電話回線から絶縁するために、回路基板上において電話回線と接続されている回線ネットワーク側と充電端子側とに分割し、その間をトランス、フォトカプラ、リレー、コンデンサ等の絶縁部品を用いて接続している。
【０００３】
また、トランス等の絶縁部品を使用せずに電話回線との絶縁を行う方法として、親機の充電端子内部に子機に当接可能なレバーを備えた絶縁スイッチを設け、親機置き台部に子機を載置していない時には親機の充電端子をその内部のスイッチにて充電回路から切り離して電話回線から絶縁し、親機に対して子機を載置している時には子機によって押し出されたレバーにより充電端子と充電回路を接続し子機内部のバッテリーへの充電を開始するものがある。すなわち、親機充電端子内部に充電回路と充電端子間の絶縁にスイッチを設ける構成としたものであり、これについては本出願人が先に提案して特許出願した。
【０００４】
さらに、充電端子に直接人体が容易に触れない様にする構造として、特開平４−２０００４６号公報や特開平６−３２６６４４号公報に記載のものが知られている。前者は電話機置き台（固定機に設けた移動機収納部）凹部の内側面設けた電話機固定用凸部の裏面に充電端子構造を設けるようにしたものである。また、後者は固定機上の移動機収納部における充電端子の対向面に開口部を設けて、この開口部に固定機側の充電端子を出没自在に配設し、移動機収納部に移動機が載置されたときに前記充電端子を開口部から突出させて充電端子に導電接続するものである。
【０００５】
【発明が解決しようとする課題】
コードレス電話機の従来の一般的構成では、親機（固定機）の充電端子が置き台部に表出しているため、電話回線を介して過大入力があった場合、人体に感電の恐れがある。それを回避するために、通常回路基板上において、回線ネットワーク部と充電端子部に大きく分割し、その接続にはトランス、フォトカプラ、リレー、コンデンサ等の絶縁部品を使用している。
【０００６】
しかしながら、絶縁部品の追加はコストアップになり、また絶縁部品にトランスを使用すると通話ロスが発生し、音質が低下するとともにトランスのインピーダンスにより電話回線とのインピーダンスのマッチングが困難であり、送話信号が受話器に回り込む側音特性の向上が図れない。
【０００７】
また、親機充電端子内部に充電回路と充電端子間の絶縁スイッチを設ける方法では、構造が複雑で部品点数も多いことや作り込みの難しさや組み立て工数増等から、コスト面での課題がある。
【０００８】
特開平４−２０００４６号公報や特開平６−３２６６４４号公報等の充電端子に人体が容易に触れない構造としたものでも、充電端子と人体との接触を皆無とすることはできない。たとえば、特開平６−３２６６４４号公報に記載のものでは、片手で子機収納部を押せば充電端子が表出するので、充電端子と人体との接触を完全に防止できない。また、親機本体の構造が複雑になり、コストアップや落下時の強度不安定等の課題が想定される。
【０００９】
本発明は、親機充電端子を置き台部に表出しないように配置し、絶縁部品を使用せずに電話回線から人体への感電防止を行い、充電構造部簡素化によるコストダウン及びトランス廃止による音質低下防止及び側音特性の向上を可能にする充電端子部構造を提供することを目的とする。
【００１０】
【課題を解決するための手段】
本発明は、充電可能なバッテリーを備えた移動機と、電話回線に接続され前記バッテリーを充電する為の充電回路を内蔵する固定機からなり、前記移動機を前記固定機に着脱する構成の通信装置であって、前記移動機と前記固定機はそれぞれ互いに接触可能な充電端子を有し、前記固定機の充電端子は導電性のコイルバネの一部であって前記コイルバネの弾性変形により前記移動機の差し込み時に回転して前記充電端子どうしの接合を可能とし、前記固定機の充電端子には当該充電端子の一部を露出させるスリットを形成した絶縁用保護カバーにより被覆され、前記スリットに前記移動機の充電端子を差し込み可能としたことを特徴とする。  本発明では、トランス、フォトカプラ、リレー、コンデンサ等の絶縁部品を廃止し、電話回線と繋がっている親機充電端子を保護カバー内部に収納しさらに、構造的簡素化による充電部材の低コスト化を実現しつつ、通常表出していた充電端子を露出金属としない、つまり人体が直接充電端子に触れられない構造にする事で、絶縁機能を確保する。
【００１１】
【発明の実施の形態】
請求項１に記載の発明は、充電可能なバッテリーを備えた移動機と、電話回線に接続されバッテリーを充電する為の充電回路を内蔵する固定機からなり、移動機を固定機に着脱する構成の通信装置であって、移動機と固定機はそれぞれ互いに接触可能な充電端子を有し、固定機の充電端子は導電性のコイルバネの一部であってコイルバネの弾性変形により移動機の差し込み時に回転して充電端子どうしの接合を可能とし、固定機の充電端子には当該充電端子の一部を露出させるスリットを形成した絶縁用保護カバーにより被覆され、スリットに移動機の充電端子を差し込み可能としたことを特徴とする通信装置であり、固定機の充電端子を非露出金属とできるため、回路基板の回線ネットワーク側と充電端子側への分割が不要になることから、それらを接続していたトランス、リレー、フォトカプラ、コンデンサ等の絶縁部品を削減でき、さらに充電端子構造の簡素化が可能で、絶縁スイッチ付充電端子と比較して樹脂成形品、板金等充電部品点数を大幅削減可能で、大幅なコストダウンを図れるという作用を有する。また、絶縁回路が不要なため基板の回路構成がコードレス電話とコード付電話とで基本的に共用できるため、回路基板設計の簡素化、開発人員及び期間の削減を可能にするという作用を有する。更に、部品廃止により回路基板の面積を縮小できるため、回路基板のコストダウン、及び製品本体の小型化が可能になるという作用も有する。
【００１２】
以下、本発明の通信装置の一例としてコードレス電話機について図面に基づいて具体的に説明する。
【００１３】
図１はコードレス電話機の親機に子機を充電のために差し込んだ状態を示す要部の断面図、図２は充電端子周辺の詳細図、図３は親機の正面図、図４（ａ）は子機の正面図、図４の（ｂ）は子機の右側面図、図５は子機の取り出し性を示す要部の断面図、図６は本発明の実施の形態のコードレス電話機の回路構成図である。なお、図１では図３のＡ−Ａ線矢視の親機及び図４の（ｂ）のＢ−Ｂ線矢視による子機の断面が示されている。
【００１４】
図１において、１はコードレス電話機の子機、２は子機１に備わった充電端子である。この充電端子２はビスにより子機１の回路基板に接続されている。子機１の回路基板上にはバッテリーとの接続用のコネクターがあり、バッテリーに付属しているコネクター付きリード線と接続されている。
【００１５】
３はコードレス電話機の親機であり、電話回線に接続する為の回線ネットワーク回路６等の他に、子機１内のバッテリーを充電する為の充電回路５を内蔵している。４は親機３に備わった充電端子であり、子機１の差し込み時に弾性変形して回転するコイルバネ４ａの一部として形成されている。充電端子４は親機充電端子接続用リード線１５を介して親機回路基板１４と接続されている。子機１は親機３に形成された凹部すなわち置き台部１６に収容自在となっている。なお、図６の回路構成図において、８は電源、９は送話回路、１０は受話回路、１１は電話回線網である。
【００１６】
親機３は置き台部１６の内側に充電端子４を備え、その充電端子４はそれぞれ絶縁用保護カバー１３により表面を覆われており、絶縁用保護カバー１３の中央には子機１の充電端子２との接続のみ可能なスリット１７を有する。絶縁用保護カバー１３に設けられたスリット１７は人体とくに指先が充電端子４に直接接触しないことを前提に設けられているため、ここでの人体への感電は不可能である。
【００１７】
子機１を置き台部１６に収納したとき、子機１の充電端子２は絶縁用保護カバー１３のスリット１７の間に入り込み、親機３の充電端子４に接触し充電を開始する。このとき、充電端子４は図１に示すようにコイルバネ４ａの変形により子機１の側面から退避する向きに回動する。
【００１８】
また、子機１の充電端子２は安全性を考慮し、子機キャビネットの基本面より出ない構造とし、さらに親機３の絶縁用保護カバー１３は子機１の取り出し及び収納性等の操作性を妨げないように、回動支点Ａを中心として回転し、子機１を取り出し、収納する際に置き台部１６の内部に移動し子機１と干渉しないよう形成されている。
【００１９】
【発明の効果】
本発明では、親機における充電端子を絶縁用保護カバーで覆うことで人体が直接触れられない非露出構造としたので、従来では回路基板上において分割していた回線ネットワーク側と充電端子側を統合することができ、回路基板設計をコードレス電話、コード付き電話に関わらず共用設計する事が可能になる。また、回線ネットワーク側と充電端子側との接続に使用していた絶縁部品であるトランス、フォトカプラ、リレー、コンデンサ等が不要となり、コストダウンが可能になると共に、トランス廃止によりトランスのインピーダンスを考慮した設計が必要でなくなり、電話回線とのマッチングが容易となり、音質低下防止になる。さらに通話信号が受話器に回り込む側音特性の向上も図れる。
【００２０】
また、絶縁部品の廃止に伴い回路基板の面積縮小が可能になると共に、充電に関する構造部品削減によるコストダウンおよび製品の小型化が図れる。
【図面の簡単な説明】
【図１】コードレス電話機の親機に子機を充電のために差し込んだ状態を示す要部の断面図
【図２】充電端子周辺の詳細図
【図３】親機の正面図
【図４】（ａ）子機の正面図
（ｂ）子機の右側面図
【図５】子機の取り出し性を示す要部の断面図
【図６】本発明の実施の形態のコードレス電話機の回路構成図
【符号の説明】
１  子機（移動機）
２  充電端子
３  親機（固定機）
４  充電端子
４ａ  コイルバネ
５  充電回路
６  回線ネットワーク回路
８  電源
９  送話回路
１０  受話回路
１１  電話回線網
１３  絶縁用保護カバー
１４  親機回路基板
１５  親機充電端子接続用リード線
１６  置き台部
１７  スリット
【図１】
0004507383.tif 000002
【図２】
0004507383.tif 000003
【図３】
0004507383.tif 000004
【図４】
0004507383.tif 000005
【図５】
0004507383.tif 000006
【図６】
0004507383.tif 000007